(57)【要約】【課題】３ＧＰＰのフレームプロトコルにおいて、Ｗｉｎｄｏｗの設定位置を計算するための処理負荷を少なくしてＷｉｎｄｏｗ判定処理を行う方法を提供する。【解決手段】従来のように、ＦＰフレームの受信の度にＷｉｎｄｏｗの形成を行うと、処理負荷が大きくなる。そこで、コネクション確立時に、所定のフレームナンバーＸを基準として生成したＷｉｎｄｏｗの先頭位置及び末尾位置を保持する。そして、通信時には、実際のＦＰフレームの到着時間Ｋから、ＦＰフレームが要求する受信タイミングＹと基準フレームナンバーＸとの差分をシフトさせた仮想到着時間（Ｋ−（Ｙ−Ｘ））と、上記生成したＷｉｎｄｏｗの先頭位置及び末尾位置とに基づいて、Ｗｉｎｄｏｗ判定を行う。これにより、Ｗｉｎｄｏｗの設定位置を計算するための処理負荷を少なくすることができる。【選択図】        図６
2004193668.tif 000002
【特許請求の範囲】
【請求項１】
無線ネットワーク制御装置と移動局装置との間に介在し、ＦＰフレームの送受信を規定するフレームプロトコルを搭載した無線基地局装置で実行されるＷｉｎｄｏｗ判定方法であって、
前記無線ネットワーク制御装置と前記移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出するステップと、
前記算出されたＷｉｎｄｏｗの先頭位置及び末尾位置を、確立されたコネクションと関連付けて所定のテーブルに保持するステップと、
任意のコネクションに関するＦＰフレームを、所定の時間軸上の到着位置Ｋで受信した場合、当該ＦＰフレームに格納されている前記移動局装置における所定の時間軸上のＦＰフレーム受信位置Ｙと前記基準位置Ｘとの、差分（Ｙ−Ｘ）を算出するステップと、
前記到着位置Ｋを前記差分（Ｙ−Ｘ）だけシフトさせた、比較到着位置（Ｋ−（Ｙ−Ｘ））を算出するステップと、
前記比較到着位置（Ｋ−（Ｙ−Ｘ））と、前記任意のコネクションに関連付けて前記テーブルに保持された前記Ｗｉｎｄｏｗの先頭位置及び末尾位置とを比較し、受信したＦＰフレームがＷｉｎｄｏｗ内に到着したか否かを判定するステップとを備える、Ｗｉｎｄｏｗ判定方法。
【請求項２】
無線ネットワーク制御装置と移動局装置との間に介在し、ＦＰフレームの送受信を規定するフレームプロトコルを搭載した無線基地局装置で実行されるＷｉｎｄｏｗ判定方法であって、
前記無線ネットワーク制御装置と前記移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出するステップと、
前記算出されたＷｉｎｄｏｗの先頭位置及び末尾位置を、確立されたコネクションと関連付けて所定のテーブルに保持するステップと、
任意のコネクションに関するＦＰフレームを、所定の時間軸上の到着位置Ｋで受信した場合、前記基準位置Ｘと当該ＦＰフレームに格納されている前記移動局装置における所定の時間軸上のＦＰフレーム受信位置Ｙとの、差分（Ｘ−Ｙ）を算出するステップと、
前記任意のコネクションに関連付けて前記テーブルに保持された前記Ｗｉｎｄｏｗの先頭位置及び末尾位置を前記差分（Ｘ−Ｙ）だけシフトさせた、Ｗｉｎｄｏｗの比較先頭位置及び比較末尾位置を算出するステップと、
前記到着位置Ｋと、前記Ｗｉｎｄｏｗの比較先頭位置及び比較末尾位置とを比較し、受信したＦＰフレームがＷｉｎｄｏｗ内に到着したか否かを判定するステップとを備える、Ｗｉｎｄｏｗ判定方法。
【請求項３】
前記基準位置Ｘ、前記Ｗｉｎｄｏｗの先頭位置及び末尾位置、前記到着位置Ｋ及び前記受信位置Ｙが、所定の通信スロット周期で定義される周期開始位置からの相対位置で与えられることを特徴とする、請求項１又は２に記載のＷｉｎｄｏｗ判定方法。
【請求項４】
無線ネットワーク制御装置と移動局装置との間に介在し、ＦＰフレームの送受信を規定するフレームプロトコルを搭載した無線基地局装置であって、
前記無線ネットワーク制御装置と前記移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出する第１の算出部と、
前記算出されたＷｉｎｄｏｗの先頭位置及び末尾位置を、確立されたコネクションと関連付けて所定のテーブルに保持する記憶部と、
任意のコネクションに関するＦＰフレームを、所定の時間軸上の到着位置Ｋで受信した場合、当該ＦＰフレームに格納されている前記移動局装置における所定の時間軸上のＦＰフレーム受信位置Ｙと前記基準位置Ｘとの、差分（Ｙ−Ｘ）を算出する第２の算出部と、
前記到着位置Ｋを前記差分（Ｙ−Ｘ）だけシフトさせた、比較到着位置（Ｋ−（Ｙ−Ｘ））を算出する第３の算出部と、
前記比較到着位置（Ｋ−（Ｙ−Ｘ））と、前記任意のコネクションに関連付けて前記テーブルに保持された前記Ｗｉｎｄｏｗの先頭位置及び末尾位置とを比較し、受信したＦＰフレームがＷｉｎｄｏｗ内に到着したか否かを判定する比較判定部とを備える、無線基地局装置。
【請求項５】
無線ネットワーク制御装置と移動局装置との間に介在し、ＦＰフレームの送受信を規定するフレームプロトコルを搭載した無線基地局装置であって、
前記無線ネットワーク制御装置と前記移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出する第１の算出部と、
前記算出されたＷｉｎｄｏｗの先頭位置及び末尾位置を、確立されたコネクションと関連付けて所定のテーブルに保持する記憶部と、
任意のコネクションに関するＦＰフレームを、所定の時間軸上の到着位置Ｋで受信した場合、前記基準位置Ｘと当該ＦＰフレームに格納されている前記移動局装置における所定の時間軸上のＦＰフレーム受信位置Ｙとの、差分（Ｘ−Ｙ）を算出する第２の算出部と、
前記任意のコネクションに関連付けて前記テーブルに保持された前記Ｗｉｎｄｏｗの先頭位置及び末尾位置を前記差分（Ｘ−Ｙ）だけシフトさせた、Ｗｉｎｄｏｗの比較先頭位置及び比較末尾位置を算出する第３の算出部と、
前記到着位置Ｋと、前記Ｗｉｎｄｏｗの比較先頭位置及び比較末尾位置とを比較し、受信したＦＰフレームがＷｉｎｄｏｗ内に到着したか否かを判定する比較判定部とを備える、無線基地局装置。
【請求項６】
前記基準位置Ｘ、前記Ｗｉｎｄｏｗの先頭位置及び末尾位置、前記到着位置Ｋ及び前記受信位置Ｙが、所定の通信スロット周期で定義される周期開始位置からの相対位置で与えられることを特徴とする、請求項４又は５に記載の無線基地局装置。
【発明の詳細な説明】
【０００１】
【発明の属する技術分野】
本発明は、Ｗｉｎｄｏｗ判定方法及び無線基地局装置に関し、より特定的には、フレームプロトコル（ＦＰ）を搭載したＷ−ＣＤＭＡ（Ｗｉｄｅｂａｎｄ  Ｃｏｄｅ  Ｄｉｖｉｓｉｏｎ  Ｍｕｌｔｉｐｕｌ  Ａｃｃｅｓｓ）方式等の無線基地局装置及び当該装置で行われるＷｉｎｄｏｗ判定方法に関する。
【０００２】
【従来の技術】
従来の通信システムにおけるデータ送受信の単位の１つとして、ＦＰフレームがある。このＦＰフレームは、第三世代移動通信システムの国際規格を検討している標準化プロジェクト３ＧＰＰ（３ｒｄ  Ｇｅｎｅｒａｔｉｏｎ  Ｐａｒｔｎｅｒｓｈｉｐ  Ｐｒｏｊｅｃｔ）が定めるフレームプロトコルに準拠したデータ転送フォーマットに基づくものである（非特許文献１を参照）。ＦＰフレームは、通信に必要な情報が格納されるヘッダ部とデータが格納されるペイロード部とで構成され、無線基地局装置を介して無線ネットワーク制御装置と移動局装置との間で送受信される。
【０００３】
Ｗ−ＣＤＭＡ方式等の第三世代通信システムにおいて、無線ネットワーク制御装置から移動局装置へ所定の受信タイミングでＦＰフレーム（下り）を送信する場合、無線基地局装置内の処理遅延を少なくするために、無線基地局装置においてＦＰフレームの早着及び遅着を判定するＷｉｎｄｏｗ判定処理が行われる。ここで、Ｗｉｎｄｏｗとは、処理遅延がある程度少なくかつ所定の受信タイミングで移動局装置がＦＰフレームを受信できるための、無線基地局装置におけるＦＰフレーム到着時間の基準である。このＷｉｎｄｏｗは、無線ネットワーク制御装置と移動局装置とのコネクションの確立時に、受信タイミングに対して次のような時間位置に設定される。図８は、フレームナンバー「３」の受信タイミングに対するＷｉｎｄｏｗの設定位置を説明する図である。
【０００４】
まず、Ｗｉｎｄｏｗの末尾を与えるＴｏＡＷＥ（Ｔｉｍｅ  ｏｆ  Ａｒｒｉｖａｌ  Ｗｉｎｄｏｗ  Ｅｎｄｐｏｉｎｔ  ）、Ｗｉｎｄｏｗの先頭を与えるＴｏＡＷＳ（Ｔｉｍｅ  ｏｆ  Ａｒｒｉｖａｌ  Ｗｉｎｄｏｗ  Ｓｔａｒｔｐｏｉｎｔ  ）、及び無線基地局装置側のフレームナンバー（時間）を示すＢＦＮ（ｎｏｄｅ  Ｂ  ｓｐｅｃｉｆｉｃ  Ｆｒａｍｅ  Ｎｕｍｂｅｒ）と移動局装置側のフレームナンバーを示すＣＦＮ（Ｃｏｎｎｅｃｔｉｏｎ  Ｆｒａｍｅ  Ｎｕｍｂｅｒ  ）とのずれ（通信タイムラグ）が、無線基地局装置に設定される。以下、フレームナンバー単位（１０ｍｓｅｃ幅）のずれをオフセットと、フレームナンバー単位未満のずれをＴｓと表記する。
次に、ＦＰフレームのヘッダ部に含まれる受信タイミングに基づいて、オフセット及びＴｓを用いてＷｉｎｄｏｗの設定位置を決定するためのＢＦＮ上の起点を求める。この起点は、受信タイミング−オフセット＋Ｔｓによって求まる。次に、求めた起点から無線基地局装置において必要な処理時間Ｔｐｒｏｃ（ｐｒｏｃｅｓｓｉｎｇ  ｔｉｍｅ  ｂｅｆｏｒｅ  ｔｒａｎｓｍｉｓｓｉｏｎ  ｏｎ  ａｉｒ−ｉｎｔｅｒｆａｃｅ）の分だけ進んだ点を、ＬＴｏＡ（Ｌａｔｅｓｔ  Ｔｉｍｅ  ｏｆ  Ａｒｒｉｖａｌ）とする。このＬＴｏＡは、これより遅れてＦＰフレームが到着すると移動局装置に送信できない時点を示すものである。そして、Ｗｉｎｄｏｗは、ＴｏＡＷＥ分だけ余裕を持たせて、ＬＴｏＡからＴｏＡＷＥ分進んだ点を末尾に、その末尾からさらにＴｏＡＷＳ分進んだ点を先頭にした位置に設定される。
【０００５】
Ｗｉｎｄｏｗ判定処理では、ＦＰフレームの到着時間が、このように設定されたＷｉｎｄｏｗに対してどこに位置するかが判定される。そして、Ｗｉｎｄｏｗ内にＦＰフレームが到着すれば正常であると判断され、それ以外は正常でないと判断される。正常でない場合には、無線基地局装置が、判断以降のＦＰフレームがＷｉｎｄｏｗ内に到着するように、無線ネットワーク制御装置に対してＦＰフレームの送出タイミングを補正すべき旨の通知を行う。
このＷｉｎｄｏｗ判定処理により、無線基地局装置内の処理遅延をできるだけ少なくしつつ、無線ネットワーク制御装置から移動局装置へ所定の受信タイミングを遵守してＦＰフレームを送信することができるのである。なお、Ｗｉｎｄｏｗ外に到着したＦＰフレームは、ＬＴｏＡ以前であれば送信処理の対象となるが、ＬＴｏＡ以降であれば処理をしても受信タイミングに間に合わないため廃棄される（データが欠落する）こととなる。
【０００６】
【非特許文献１】
「３ＧＰＰ  ＴＳ  ２５．４０２  Ｖ３．３．０  （２００１−０６）」
３ｒｄ  Ｇｅｎｅｒａｔｉｏｎ  Ｐａｒｔｎｅｒｓｈｉｐ  Ｐｒｏｊｅｃｔ；
Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；
Ｓｙｎｃｈｒｏｎｉｓａｔｉｏｎ  ｉｎ  ＵＴＲＡＮ  Ｓｔａｇｅ  ２  （Ｒｅｌｅａｓｅ  １９９９）
【０００７】
【発明が解決しようとする課題】
しかしながら、上記従来のＷｉｎｄｏｗ判定処理では、無線基地局装置が、無線ネットワーク制御装置からＦＰフレームを受信する度に、ＦＰフレームのヘッダ部に含まれる受信タイミングに基づいて、Ｗｉｎｄｏｗの設定位置を計算することを行う（図９）。従って、Ｗｉｎｄｏｗの設定位置の計算に処理負荷がかかるため、処理時間の不足によりＦＰフレームが廃棄される場合があり得るという問題を残していた。また、処理時間の不足により無線基地局装置に収容できるユーザ数（チャネル数）が少なくなる場合があり得るという問題を残していた。
【０００８】
それ故に、本発明の目的は、Ｗｉｎｄｏｗの設定位置を計算するための処理負荷を少なくしてＷｉｎｄｏｗ判定を行う方法及び無線基地局装置を提供することである。
【０００９】
【課題を解決するための手段及び発明の効果】
第１の発明は、無線ネットワーク制御装置と移動局装置との間に介在し、ＦＰフレームの送受信を規定するフレームプロトコルを搭載した無線基地局装置で実行されるＷｉｎｄｏｗ判定方法であって、
無線ネットワーク制御装置と移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出するステップと、
算出されたＷｉｎｄｏｗの先頭位置及び末尾位置を、確立されたコネクションと関連付けて所定のテーブルに保持するステップと、
任意のコネクションに関するＦＰフレームを、所定の時間軸上の到着位置Ｋで受信した場合、ＦＰフレームに格納されている移動局装置における所定の時間軸上のＦＰフレーム受信位置Ｙと基準位置Ｘとの、差分（Ｙ−Ｘ）を算出するステップと、
到着位置Ｋを差分（Ｙ−Ｘ）だけシフトさせた、比較到着位置（Ｋ−（Ｙ−Ｘ））を算出するステップと、
比較到着位置（Ｋ−（Ｙ−Ｘ））と、任意のコネクションに関連付けてテーブルに保持されたＷｉｎｄｏｗの先頭位置及び末尾位置とを比較し、受信したＦＰフレームがＷｉｎｄｏｗ内に到着したか否かを判定するステップとを備える。
【００１０】
第２の発明は、無線ネットワーク制御装置と移動局装置との間に介在し、ＦＰフレームの送受信を規定するフレームプロトコルを搭載した無線基地局装置で実行されるＷｉｎｄｏｗ判定方法であって、
無線ネットワーク制御装置と移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出するステップと、
算出されたＷｉｎｄｏｗの先頭位置及び末尾位置を、確立されたコネクションと関連付けて所定のテーブルに保持するステップと、
任意のコネクションに関するＦＰフレームを、所定の時間軸上の到着位置Ｋで受信した場合、基準位置ＸとＦＰフレームに格納されている移動局装置における所定の時間軸上のＦＰフレーム受信位置Ｙとの、差分（Ｘ−Ｙ）を算出するステップと、
任意のコネクションに関連付けてテーブルに保持されたＷｉｎｄｏｗの先頭位置及び末尾位置を差分（Ｘ−Ｙ）だけシフトさせた、Ｗｉｎｄｏｗの比較先頭位置及び比較末尾位置を算出するステップと、
到着位置Ｋと、Ｗｉｎｄｏｗの比較先頭位置及び比較末尾位置とを比較し、受信したＦＰフレームがＷｉｎｄｏｗ内に到着したか否かを判定するステップとを備える。
【００１１】
上記のように、第１及び第２の発明によれば、無線基地局装置において、Ｗｉｎｄｏｗの設定位置を計算するための処理負荷を少なくさせることができる。従って、無線基地局装置における処理時間の不足によるＦＰフレームの廃棄を回避させることができ、また無線基地局装置に収容できるユーザ数（チャネル数）を増大させることができる。さらに、安価な低速ＣＰＵへの置き換えにより、無線基地局装置のコストダウンを実現することができる。
【００１２】
第３の発明は、第１及び第２の発明に従属するＷｉｎｄｏｗ判定方法であって、
基準位置Ｘ、Ｗｉｎｄｏｗの先頭位置及び末尾位置、到着位置Ｋ及び受信位置Ｙが、所定の通信スロット周期で定義される周期開始位置からの相対位置で与えられることを特徴とする。
【００１３】
上記のように、第３の発明によれば、コネクション確立時に割り当てられた所定の通信スロットを周期的に繰り返し利用して行われる通信においても、本願発明を適用させることができる。
【００１４】
第４の発明は、無線ネットワーク制御装置と移動局装置との間に介在し、ＦＰフレームの送受信を規定するフレームプロトコルを搭載した無線基地局装置であって、
無線ネットワーク制御装置と移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出する第１の算出部と、
算出されたＷｉｎｄｏｗの先頭位置及び末尾位置を、確立されたコネクションと関連付けて所定のテーブルに保持する記憶部と、
任意のコネクションに関するＦＰフレームを、所定の時間軸上の到着位置Ｋで受信した場合、ＦＰフレームに格納されている移動局装置における所定の時間軸上のＦＰフレーム受信位置Ｙと基準位置Ｘとの、差分（Ｙ−Ｘ）を算出する第２の算出部と、
到着位置Ｋを差分（Ｙ−Ｘ）だけシフトさせた、比較到着位置（Ｋ−（Ｙ−Ｘ））を算出する第３の算出部と、
比較到着位置（Ｋ−（Ｙ−Ｘ））と、任意のコネクションに関連付けてテーブルに保持されたＷｉｎｄｏｗの先頭位置及び末尾位置とを比較し、受信したＦＰフレームがＷｉｎｄｏｗ内に到着したか否かを判定する比較判定部とを備える。
【００１５】
第５の発明は、無線ネットワーク制御装置と移動局装置との間に介在し、ＦＰフレームの送受信を規定するフレームプロトコルを搭載した無線基地局装置であって、
無線ネットワーク制御装置と移動局装置との間でコネクションが確立された際、無線ネットワーク制御装置から与えられる移動局装置に関する特定情報に基づいて、所定の時間軸上に予め定めた基準位置Ｘを起点として、ＦＰフレームの早着及び遅着の判定基準であるＷｉｎｄｏｗを算出する第１の算出部と、
算出されたＷｉｎｄｏｗの先頭位置及び末尾位置を、確立されたコネクションと関連付けて所定のテーブルに保持する記憶部と、
任意のコネクションに関するＦＰフレームを、所定の時間軸上の到着位置Ｋで受信した場合、基準位置ＸとＦＰフレームに格納されている移動局装置における所定の時間軸上のＦＰフレーム受信位置Ｙとの、差分（Ｘ−Ｙ）を算出する第２の算出部と、
任意のコネクションに関連付けてテーブルに保持されたＷｉｎｄｏｗの先頭位置及び末尾位置を差分（Ｘ−Ｙ）だけシフトさせた、Ｗｉｎｄｏｗの比較先頭位置及び比較末尾位置を算出する第３の算出部と、
到着位置Ｋと、Ｗｉｎｄｏｗの比較先頭位置及び比較末尾位置とを比較し、受信したＦＰフレームがＷｉｎｄｏｗ内に到着したか否かを判定する比較判定部とを備える。
【００１６】
上記のように、第４及び第５の発明によれば、無線基地局装置は、Ｗｉｎｄｏｗの設定位置を計算するための処理負荷を少なくすることができる。従って、無線基地局装置は、処理時間の不足によるＦＰフレームの廃棄を回避することができ、また収容できるユーザ数（チャネル数）を増大させることができる。さらに、安価な低速ＣＰＵへの置き換えにより、無線基地局装置のコストダウンが可能となる。
【００１７】
第６の発明は、第４及び第５の発明に従属する無線基地局装置であって、
基準位置Ｘ、Ｗｉｎｄｏｗの先頭位置及び末尾位置、到着位置Ｋ及び受信位置Ｙが、所定の通信スロット周期で定義される周期開始位置からの相対位置で与えられることを特徴とする。
【００１８】
上記のように、第６の発明によれば、コネクション確立時に割り当てられた所定の通信スロットを周期的に繰り返し利用して行われる通信においても、本願発明を適用させることができる。
【００１９】
【発明の実施の形態】
以下、本発明が提供するＷｉｎｄｏｗ判定方法及び無線基地局装置を、図面を参照しながら説明する。
図１は、本発明の一実施形態に係るＷｉｎｄｏｗ判定方法を用いた無線基地局装置を含む通信システム（下り方向）の構成を示すブロック図である。図１において、本実施形態の通信システムは、複数の移動局装置１と、無線基地局装置２と、無線ネットワーク制御装置３とで構成される。無線基地局装置２は、出力処理部２１と、Ｗｉｎｄｏｗ判定処理部２２と、Ｗｉｎｄｏｗ生成処理部２３と、インバンド処理部２４と、アウトバンド処理部２５とを備える。
【００２０】
まず、本実施形態の通信システムの概要を説明する。
無線ネットワーク制御装置３は、ある移動局装置１に対してデータを送信する必要が生じた場合、無線基地局装置２に受信タイミング、ＴｏＡＷＳ、ＴｏＡＷＥ、オフセット及びＴｓ等の特定情報（アウトバンドデータ）を送信する。
無線基地局装置２は、アウトバンド処理部２５を介して無線ネットワーク制御装置３から受信した特定情報を用いて、コネクションを確立する。また、無線基地局装置２は、Ｗｉｎｄｏｗ生成処理部２３においてＷｉｎｄｏｗを生成し、Ｗｉｎｄｏｗ判定処理部２２にこのＷｉｎｄｏｗを設定した後、アウトバンド処理部２５を介して無線ネットワーク制御装置３に応答を返送する。
【００２１】
無線ネットワーク制御装置３は、コネクションが確立されると、移動局装置１に送信するデータをペイロード部に格納したＦＰフレーム（インバンドデータ）を生成し、無線基地局装置２へ送信する。
無線基地局装置２は、Ｗｉｎｄｏｗ生成処理部２３が生成したＷｉｎｄｏｗを用い、Ｗｉｎｄｏｗ判定処理部２２においてインバンド処理部２４を介して受信したＦＰフレームにＷｉｎｄｏｗ判定処理等のフレームプロトコル処理を施した後、出力処理部２１を介して該当する移動局装置１にＦＰフレームを出力する。ここで、Ｗｉｎｄｏｗ判定処理部２２は、Ｗｉｎｄｏｗ判定処理においてＦＰフレームがＷｉｎｄｏｗ内に到着しなかったと判断したコネクションについて、無線ネットワーク制御装置３に対してＷｉｎｄｏｗとＦＰフレーム到着時間とのずれを通知する。
無線ネットワーク制御装置３は、この通知に基づいて、該当するコネクションについては、設定されたＷｉｎｄｏｗ内に到着するように以降のＦＰフレームの送出タイミングを補正する。
【００２２】
本発明では、Ｗｉｎｄｏｗ生成処理部２３が行うＷｉｎｄｏｗの生成手法、及びＷｉｎｄｏｗ判定処理部２２が行うＷｉｎｄｏｗ判定手法に特徴がある。
以下、図２〜図６を参照して、これらの手法を説明する。図２は、Ｗｉｎｄｏｗ生成処理部２３で行われるＷｉｎｄｏｗ生成の手順を示すフローチャートである。図３は、Ｗｉｎｄｏｗ生成処理部２３で管理される所定のテーブルの一例を示す図である。図４は、Ｗｉｎｄｏｗの先頭位置及び末尾位置を求める一例を示す図である。図５は、Ｗｉｎｄｏｗ判定処理部２２で行われるＷｉｎｄｏｗ判定の手順を示すフローチャートである。図６及び図７は、ＦＰフレームとＷｉｎｄｏｗとを比較処理する概念を示す図である。
【００２３】
図２を参照して、Ｗｉｎｄｏｗ生成処理部２３が行うＷｉｎｄｏｗの生成手法を説明する。
Ｗｉｎｄｏｗ生成処理部２３は、Ｗｉｎｄｏｗを生成するための基準となるフレームナンバーＸを予め定めている（ステップＳ２１）。この基準フレームナンバーＸは、時間軸上の位置であり、任意に定めることができる。また、全てのコネクションに同一の基準フレームナンバーＸを用いてもよいし、コネクション毎に異なる基準フレームナンバーＸを用いてもよい。一般に、コネクションによる通信は、コネクション確立時に割り当てられた所定の通信スロットを周期的に繰り返し利用して行われるため、この場合には、基準フレームナンバーＸは、通信スロット周期内に定義されたフレームナンバー内で設定されることになる。Ｗｉｎｄｏｗ生成処理部２３は、確立されたコネクションに関するＴｏＡＷＳ、ＴｏＡＷＥ、オフセット及びＴｓ等の特定情報に基づいて、受信タイミングを基準フレームナンバーＸとした場合のＷｉｎｄｏｗの設定位置を算出する（ステップＳ２２）。受信タイミングとは、移動局装置１が要求する時間軸上でのＦＰフレームの受信位置である。そして、Ｗｉｎｄｏｗ生成処理部２３は、算出したＷｉｎｄｏｗの先頭位置及び末尾位置の時間情報を、所定のテーブルに確立されたコネクションと関連付けて保持する（ステップＳ２３、図３）。好ましくは、この時間情報は、通信スロット周期が存在しない場合には絶対時間で表現され、通信スロット周期が存在する場合には周期開始からの相対時間で表現される。
【００２４】
例えば、通信スロット周期が存在する場合には、Ｗｉｎｄｏｗの先頭位置及び末尾位置が次のようにして求められる。
今、通信スロット周期がフレームナンバー「０」〜「９」で定義され、各フレームナンバーの間隔が１０ｍｓであり、基準フレームナンバーＸが「０」に設定されたシステムを考える。すなわち、通信スロット周期が１００ｍｓとなる。このシステムに図８の例を対応させた場合には、受信タイミングを基準フレームナンバーＸ＝０としてＷｉｎｄｏｗを生成することになり、図４のようにＷｉｎｄｏｗの先頭位置の時間情報が７５ｍｓ（＝１００＋（５−３０））と、Ｗｉｎｄｏｗの末尾位置の時間情報が８２ｍｓ（＝１００＋（１２−３０））となる。これらの時間情報は、通信スロット周期開始（フレームナンバー「０」の位置が０ｍｓ）からの相対時間である。
【００２５】
次に、図５を参照して、Ｗｉｎｄｏｗ判定処理部２２が行うＷｉｎｄｏｗ判定手法を説明する。今、受信タイミングＢＦＮ＝ＹであるコネクションＡのＦＰフレームが、到着時間Ｋで到着した場合を考える。
【００２６】
Ｗｉｎｄｏｗ判定処理部２２は、ＦＰフレームを受けると、そのヘッダ部に格納された受信タイミングＹを取得し、また到着時間Ｋを確認する（ステップＳ５１）。次に、Ｗｉｎｄｏｗ判定処理部２２は、Ｗｉｎｄｏｗ生成処理部２３でＷｉｎｄｏｗの生成に用いられた基準フレームナンバーＸと到着したＦＰフレームの受信タイミングＹとの、フレームナンバー差（Ｙ−Ｘ）を算出する（ステップＳ５２）。次に、Ｗｉｎｄｏｗ判定処理部２２は、到着したＦＰフレームとＷｉｎｄｏｗ生成処理部２３で生成されたＷｉｎｄｏｗとの比較基準を揃えるため、算出したフレームナンバー差（Ｙ−Ｘ）を到着時間Ｋから減算して、比較到着時間（Ｋ−（Ｙ−Ｘ））を算出する（ステップＳ５３）。なお、実際の計算では、フレームナンバー差を時間差に換算した値で減算させる必要があるが、この実施例では、この換算を省略して説明している。なお、通信スロット周期Ｔが存在する場合には、比較到着時間を通信スロット周期Ｔ内の相対時間で表現する必要がある。従って、この場合には、Ｋ−（Ｙ−Ｘ）＜０のときには、比較到着時間（Ｋ−（Ｙ−Ｘ）＋Ｔ）として計算され、Ｋ−（Ｙ−Ｘ）＞Ｔのときには、比較到着時間（Ｋ−（Ｙ−Ｘ）−Ｔ）として計算される。そして、Ｗｉｎｄｏｗ判定処理部２２は、Ｗｉｎｄｏｗ生成処理部２３の所定のテーブルからコネクションＡのＷｉｎｄｏｗの先頭位置及び末尾位置を取得し、算出した比較到着時間（Ｋ−（Ｙ−Ｘ））が先頭位置から末尾位置までの時間範囲に含まれるか否かによって、Ｗｉｎｄｏｗ内にＦＰフレームが到着しているか否かを判定する（ステップＳ５４）。上述した比較処理の概念を図６に示す。
【００２７】
以上のように、本発明の一実施形態に係るＷｉｎｄｏｗ判定方法及びその方法を用いた無線基地局装置によれば、コネクション確立時に、所定のフレームナンバーＸを基準として生成したＷｉｎｄｏｗの先頭位置及び末尾位置を保持する。そして、実際の通信時には、実際のＦＰフレーム到着時間を、ＦＰフレームが要求する受信タイミングＹと基準フレームナンバーＸとの差分だけシフトさせた比較到着時間（Ｋ−（Ｙ−Ｘ））と、上記生成したＷｉｎｄｏｗの先頭位置及び末尾位置とに基づいて、Ｗｉｎｄｏｗ判定を行う。
これにより、Ｗｉｎｄｏｗの設定位置を計算するための処理負荷を少なくすることができる。従って、処理時間の不足によるＦＰフレームの廃棄を回避することができ、また無線基地局装置に収容できるユーザ数（チャネル数）を増大させることができる。さらに、安価な低速ＣＰＵへの置き換えによりコストダウンを行うことができる。
【００２８】
なお、上記実施形態では、Ｗｉｎｄｏｗ判定を行うに際し、ＦＰフレームの到着時間Ｋを、保持しているＷｉｎｄｏｗの先頭位置及び末尾位置に合わせる場合を示した。しかし、フレームナンバー差（Ｙ−Ｘ）をＷｉｎｄｏｗの先頭位置及び末尾位置にそれぞれ加算（すなわち、フレームナンバー差（Ｘ−Ｙ）を減算）し、ＦＰフレームの到着時間Ｋに合わせるようにしてもよい（図７）。
また、上記実施形態では、Ｗｉｎｄｏｗ生成処理部２３が管理する所定のテーブルに、通信スロット周期内における相対時間が保持される場合を示した（図４）。しかし、所定のテーブルにフレームナンバーが保持されても構わない。この場合には、時間情報をフレームナンバー情報に変換する処理が必要となる。また、Ｗｉｎｄｏｗ生成処理部２３の所定のテーブルに保持される時間情報は、上述したＷｉｎｄｏｗの先頭位置及び末尾位置の代わりに、基準フレームナンバーＸからの相対時間差であってもよいし、Ｗｉｎｄｏｗの末尾位置はＷｉｎｄｏｗの先頭位置からの時間幅（ＴｏＡＷＳ）で与えてもよい。
【図面の簡単な説明】
【図１】本発明の一実施形態に係るＷｉｎｄｏｗ判定方法を用いた無線基地局装置を含む通信システム（下り方向）の構成を示すブロック図である。
【図２】本発明のＷｉｎｄｏｗ生成処理部２３で行われるＷｉｎｄｏｗ生成の手順を示すフローチャートである。
【図３】本発明のＷｉｎｄｏｗ生成処理部２３で管理される所定のテーブルの一例を示す図である。
【図４】Ｗｉｎｄｏｗの先頭位置及び末尾位置を求める一例を示す図である。
【図５】本発明のＷｉｎｄｏｗ判定処理部２２で行われるＷｉｎｄｏｗ判定の手順を示すフローチャートである。
【図６】本発明のＦＰフレームとＷｉｎｄｏｗとを比較処理する概念を示す図である。
【図７】本発明のＦＰフレームとＷｉｎｄｏｗとを比較処理する概念を示す図である。
【図８】ある受信タイミングに対するＷｉｎｄｏｗの設定位置を説明する図である。
【図９】従来のＦＰフレームとＷｉｎｄｏｗとを比較処理する概念を示す図である。
【符号の説明】
１…移動局装置
２…無線基地局装置
３…無線ネットワーク制御装置
２１…出力処理部
２２…Ｗｉｎｄｏｗ判定処理部
２３…Ｗｉｎｄｏｗ生成処理部
２４…インバンド処理部
２５…アウトバンド処理部
【図１】
2004193668.tif 000003
【図２】
2004193668.tif 000004
【図３】
2004193668.tif 000005
【図４】
2004193668.tif 000006
【図５】
2004193668.tif 000007
【図６】
2004193668.tif 000008
【図７】
2004193668.tif 000009
【図８】
2004193668.tif 000010
【図９】
2004193668.tif 000011